(57)【要約】本発明の一態様は、支台歯（Ａ）に被せる歯科用補綴物（１０）であって、内側面（１１）に形成されている溝（１１ａ）を有し、前記溝（１１ａ）は、セメントスペース（Ｃ）からの深さが２０〜１２０μｍである。
2018003286.tif 000002
【特許請求の範囲】
【請求項１】
支台歯に被せる歯科用補綴物であって、  内側面に形成されている溝を有し、  前記溝は、セメントスペースからの深さが２０〜１２０μｍであることを特徴とする歯科用補綴物。
【請求項２】
前記溝は、前記内側面の周方向に形成されていることを特徴とする請求項１に記載の歯科用補綴物。
【発明の詳細な説明】
【技術分野】
【０００１】  本発明は、歯科用補綴物に関する。
【背景技術】
【０００２】  一般に、クラウン、ブリッジ等の歯科用補綴物は、歯科用セメントを介して、支台歯に固着される。このため、支台歯と、歯科用補綴物の支台歯に対向する内面との間に、セメントスペースを形成する必要がある。【０００３】  近年、ＣＡＤ／ＣＡＭシステムやＣＡＤシステムが注目されている。【０００４】  ＣＡＤ／ＣＡＭシステムは、コンピュータを用いて、歯科用補綴物を設計した後、自動切削・研削加工機を用いて、設計データに基づいて、ブロックを切削・研削加工して、歯科用補綴物を作製する（例えば、特許文献１参照）。【０００５】  ここで、ブロックを構成する材料としては、硬化樹脂、セラミック焼結体、金属等が知られている。【０００６】  また、ＣＡＤシステムは、コンピュータを用いて、歯科用補綴物を設計した後、光造形装置を用いて、設計データに基づいて、薄い断面毎に光硬化性樹脂にレーザを照射することにより光硬化性樹脂を硬化させて、歯科用補綴物を作製する。【０００７】  ＣＡＤ／ＣＡＭシステムやＣＡＤシステムにおいては、まず、歯科用印象材を用いて、患者の歯牙形状、歯列形状等の口腔内形状の印象を採得した後、石膏模型を作製する。次に、三次元座標計測装置を用いて、石膏模型の三次元座標情報を計測する。さらに、コンピュータを用いて、石膏模型の三次元座標情報に基づいて、歯科用補綴物を設計する。このとき、石膏模型において、歯科用補綴物のマージンラインを設計する操作と、石膏模型にセメントスペースに対応する厚さを加えて、歯科用補綴物の内面の形状を設計する操作と、歯科用補綴物の口腔内に露出する外面の形状を設計する操作とを実施する。【０００８】  ＣＡＤ／ＣＡＭシステムを利用する場合には、加工するブロックの材料を選択して、自動切削・研削加工機を用いて、ブロックを切削・研削加工した後、トリミングして、歯科用補綴物を作製する。【０００９】  また、ＣＡＤシステムを利用する場合には、光造形装置を用いて、薄い断面毎に、光硬化性樹脂にレーザを照射することにより光硬化性樹脂を硬化させて、歯科用補綴物を作製する。
【先行技術文献】
【特許文献】
【００１０】
【特許文献１】特開２００２−２２４１４２号公報
【発明の概要】
【発明が解決しようとする課題】
【００１１】  しかしながら、歯科用補綴物の支台歯からの脱離を抑制することが望まれている。【００１２】  ここで、支台歯に被せる歯科用補綴物の内面をサンドブラスト処理により粗面化する方法が知られているが、歯科用補綴物の支台歯からの脱離を十分に抑制することができない。【００１３】  本発明の一態様は、支台歯からの脱離を抑制することが可能な歯科用補綴物を提供することを目的とする。
【課題を解決するための手段】
【００１４】  本発明の一態様は、支台歯に被せる歯科用補綴物であって、内側面に形成されている溝を有し、前記溝は、セメントスペースからの深さが２０〜１２０μｍである。
【発明の効果】
【００１５】  本発明の一態様によれば、支台歯からの脱離を抑制することが可能な歯科用補綴物を提供することができる。
【図面の簡単な説明】
【００１６】
【図１】本実施形態の歯科用補綴物の一例を示す図である。
【図２】図１の歯科用補綴物の製造に用いる三次元座標計測装置の一例を示す図である。
【図３】図１の歯科用補綴物の内面を作製する際に使用する工具の一例を示す図である。
【発明を実施するための形態】
【００１７】  次に、本発明を実施するための形態を説明する。
【００１８】  図１に、本実施形態の歯科用補綴物の一例として、クラウン１０を示す。
【００１９】  クラウン１０は、口腔内に露出し、歯牙の形状をなす外面と、支台歯Ａに被せる凹形状の内面を有する。
【００２０】  ここで、クラウン１０の内面と、支台歯Ａとの間には、セメントスペースＣが形成されている。
【００２１】  また、クラウン１０は、内側面１１の周方向に溝１１ａが連続的に形成されている。
【００２２】  溝１１ａのセメントスペースＣからの深さｄは、２０〜１２０μｍであり、５０〜１００μｍであることが好ましい。溝１１ａのセメントスペースＣからの深さｄが２０μｍ未満であると、クラウン１０の支台歯Ａからの脱離を抑制することが困難になり、１２０μｍを超えても、クラウン１０の支台歯Ａからの脱離を抑制する効果が向上しない。
【００２３】  本明細書及び請求の範囲において、溝１１ａのセメントスペースＣからの深さｄとは、溝１１ａが形成されていない領域のセメントスペースＣ、即ち、溝１１ａが形成されていないと仮定した場合のセメントスペースＣと、溝１１ａの底面との間の距離を意味する。
【００２４】  溝１１ａの幅は、２４０〜３３０μｍであることが好ましい。
【００２５】  溝１１ａのピッチは、２８０〜３８０μｍであることが好ましい。
【００２６】  溝１１ａの断面の形状としては、支台歯Ａからの脱離を抑制することが可能であれば、特に限定されないが、矩形状、台形状、半円状、半楕円状等が挙げられ、二種以上併用してもよい。
【００２７】  セメントスペースＣの最大厚さは、１５〜１２０μｍであることが好ましい。
【００２８】  なお、溝１１ａは、内側面１１の周方向に断続的に形成されていてもよい。
【００２９】  また、溝１１ａは、内側面１１に螺旋状に形成されていてもよい。この場合、溝１１ａは、連続的に形成されていてもよいし、断続的に形成されていてもよい。
【００３０】  次に、クラウン１０の製造方法の一例について説明する。
【００３１】  まず、歯科用印象材を用いて、患者の歯牙形状、歯列形状等の口腔内形状の印象を採得した後、口腔内形状の石膏模型を作製する。次に、三次元座標計測装置を用いて、口腔内形状の石膏模型の三次元座標情報を計測する。
【００３２】  図２に、三次元座標計測装置の一例を示す。
【００３３】  三次元座標計測装置２０は、回転軸の軸心がＺ軸をなす回転テーブル２１と、Ｘ軸方向及びＹ軸方向に移動自在で回転テーブル２１上に配置されているＸＹテーブル２２と、ＸＹテーブル２２上に固定されている載置台２３を有する。載置台２３には、被計測物Ｍを装着することが可能な被計測物装着具２４を載置することができる。
【００３４】  また、三次元座標計測装置２０は、Ｚ軸上の所望の点を中心として、Ｚ軸を含む同一平面上を回転移動すると共に、Ｚ軸方向に移動することが可能なレーザセンサ２５ａにより、被計測物Ｍの三次元座標を計測する三次元座標計測部２５を有する。
【００３５】  次に、三次元座標計測装置２０を用いて、被計測物Ｍの三次元座標を計測する方法について説明する。
【００３６】  まず、被計測物装着具２４に被計測物Ｍを装着した後、被計測物装着具２４を載置台２３上に載置する。次に、回転テーブル２１を回転させながら、レーザセンサ２５ａを回転移動させることにより、レーザを被計測物Ｍに照射して、被計測物Ｍの三次元座標を計測する。
【００３７】  次に、口腔内形状の石膏模型の三次元座標情報に基づいて、クラウン１０を設計する。例えば、コンピュータのＣＲＴ画面上に、三次元グラフィックを表示した口腔内形状の石膏模型に基づいて、クラウン１０のマージンラインの外形線を変形させて、クラウン１０のマージンラインが支台歯Ａのマージンラインに一致するように設計する。また、口腔内形状の石膏模型にセメントスペースＣに対応する厚さを加えて、クラウン１０の支台歯Ａに対向する内面の形状を設計する。さらに、支台歯Ａの側の歯列形状と、対合歯の側の歯列形状との三次元グラフィックを基に、クラウン１０の口腔内に露出する外面の形状を設計する。
【００３８】  以上のようにして、クラウン１０の設計が完了する。
【００３９】  例えば、ＣＡＤ／ＣＡＭシステムを利用する場合、切削・研削加工機を用いて、ブロックを切削・研削加工した後、トリミングして、クラウン１０の外面及び内面を作製する。このとき、例えば、回転することが可能な円盤状の作業部３１を先端に有する切削工具３０（図３参照）を用いて、ブロックを切削加工して、クラウン１０の内面を作製する。これにより、溝１１ａのセメントスペースＣからの深さｄ、幅、ピッチ、断面の形状を制御することができる。
【００４０】  ブロックを構成する材料としては、特に限定されないが、硬化樹脂、セラミック焼結体、金属等が挙げられる。
【００４１】  また、ＣＡＤシステムを利用する場合、光造形装置により、薄い断面毎に、光硬化性樹脂にレーザを照射することにより光硬化性樹脂を硬化させて、クラウン１０を作製する。
【００４２】  なお、クラウン１０は、ロストワックス法を用いて、製造してもよい。
【００４３】  次に、クラウン１０を支台歯Ａに固着させる方法について、説明する。
【００４４】  まず、クラウン１０を支台歯Ａに被せて、クラウン１０が適合な状態であるかどうかを確認する。クラウン１０が不適合な状態である場合には、不適合な箇所を僅かに切削・研削加工することにより、クラウン１０の外面の形状及び内面の形状を容易に調節することができる。クラウン１０が適合な状態である場合には、セメントスペースＣに歯科用セメントを塗布した後、クラウン１０を支台歯Ａに被せて、固着させる。
【００４５】  本実施形態において、クラウン以外の支台歯に被せる歯科用補綴物として、ブリッジ等を用いることができる。
【００４６】  本国際出願は、２０１６年６月３０日に出願された日本国特許出願２０１６−１３１０２０に基づく優先権を主張するものであり、日本国特許出願２０１６−１３１０２０の全内容を本国際出願に援用する。
【符号の説明】
【００４７】  １０    クラウン  １１    内側面  １１ａ    溝  Ａ    支台歯  Ｃ    セメントスペース  ２０    三次元座標計測装置  ２１    回転テーブル  ２２    ＸＹテーブル  ２３    載置台  ２４    被計測物装着具  ２５    三次元座標計測部  ２５ａ    レーザセンサ  Ｍ    被計測物  ３０    切削工具  ３１    作業部
【図１】
2018003286.tif 000003
【図２】
2018003286.tif 000004
【図３】
2018003286.tif 000005
【国際調査報告】
2018003286.tif 000006
2018003286.tif 000007
2018003286.tif 000008